(57)【要約】【課題】本発明は、表示画像に対する人の関心度を安価かつ簡単に検出する。【解決手段】画像表示装置１は、制御部１１が外部メモリ４０から読み込んだ画像を画像表示部２０によって表示面に表示させる。制御部１１は、表示面の前面側であって所定の感度エリア内における人の有無を人感センサ３０に検知させ、人感センサ３０の検出結果（人検出時間等）と表示面に表示されている画像の表示条件（表示時間等）に基づいて、該画像に対する人の関心度を求め、該画像の表示時間等の表示条件を調整する。【選択図】          図１
2015045733.tif 000002
【特許請求の範囲】
【請求項１】
画像を表示面に表示する画像表示手段と、
前記画像表示手段に所定間隔で所定数の画像を表示させる画像表示制御手段と、
前記表示面の前面側であって所定の検出領域内における人の有無を検出する人検出手段と、
前記人検出手段の検出結果と前記表示面に表示されている画像の表示条件に基づいて、該画像に対する人の関心度を求める関心度検出手段と、
を備えていることを特徴とする画像表示装置。
【請求項２】
前記関心度検出手段は、
前記表示条件としての前記表示面に表示されている画像の表示時間と、該表示時間において前記人検出手段が前記人を検出している人検出時間とを比較して、該画像に対する前記関心度を求めることを特徴とする請求項１記載の画像表示装置。
【請求項３】
前記関心度検出手段は、
前記画像毎に、前記人検出手段が前記検出領域内の人を検出する毎の個別人検出時間を順次積算して前記人検出時間として求め、積算した該人検出時間と該画像の前記表示時間を比較して、該画像に対する前記関心度を求めることを特徴とする請求項２記載の画像表示装置。
【請求項４】
前記関心度検出手段は、
前記個別人検出時間を所定の最小閾値時間と比較して、該最小閾値時間よりも短い該個別人検出時間については、積算対象から除外することを特徴とする請求項３記載の画像表示装置。
【請求項５】
前記関心度検出手段は、
１日を所定の時間帯毎に分割した分割時間帯を設定し、前記画像毎に、該分割時間帯毎の前記関心度を求めることを特徴とする請求項１から請求項４のいずれかに記載の画像表示装置。
【請求項６】
前記画像表示装置は、
前記画像毎に、前記関心度に基づいて該画像の前記表示条件を調整する表示条件調整手段をさらに備え、
前記画像表示制御手段は、
前記表示条件調整手段の調整した表示条件に基づいて前記画像表示手段に画像を表示させることを特徴とする請求項１から請求項５のいずれかに記載の画像表示装置。
【請求項７】
前記表示条件調整手段は、
前記画像毎に、前記関心度を、所定の高関心度閾値と比較して、該関心度が該高関心度閾値よりも高い画像については、前記表示条件としての前記表示時間を長く調整することを特徴とする請求項６記載の画像表示装置。
【請求項８】
前記関心度検出手段は、
前記表示条件調整手段によって前記表示条件としての前記表示時間が長く調整された前記画像の前記人検出時間については、所定単位時間当たりの該人検出時間を正規化した後に前記関心度を求めることを特徴とする請求項６または請求項７記載の画像表示装置。
【請求項９】
画像を表示面に表示する画像表示手段に、所定間隔で所定数の画像を表示させる画像表示制御処理ステップと、
前記表示面の前面側であって所定の検出領域内における人の有無を検出する人検出処理ステップと、
前記人検出処理ステップでの検出結果と前記表示面に表示されている画像の表示条件に基づいて、該画像に対する人の関心度を求める関心度検出処理ステップと、
を有していることを特徴とする画像表示制御方法。
【請求項１０】
制御プロセッサに、
画像を表示面に表示する画像表示手段に、所定間隔で所定数の画像を表示させる画像表示制御処理と、
前記表示面の前面側であって所定の検出領域内における人の有無を検出する人検出処理と、
前記人検出処理での検出結果と前記表示面に表示されている画像の表示条件に基づいて、該画像に対する人の関心度を求める関心度検出処理と、
を実行させることを特徴とする画像表示制御プログラム。
【発明の詳細な説明】
【技術分野】
【０００１】
本発明は、画像表示装置、画像表示制御方法及び画像表示制御プログラムに関し、詳細には、表示画像に対する人の関心度を安価かつ簡単に検出する画像表示装置、画像表示制御方法及び画像表示制御プログラムに関する。
【背景技術】
【０００２】
プロジェクタ装置、ＬＣＤ（Liquid Crystal Display）装置等の表示装置は、近年、種々の目的で利用されている。例えば、表示装置は、店頭のショーウィンドウや街頭におけるデジタルサイネージ（電子広告）、商品自動販売機の商品紹介、フォトフレーム等のように人に対して効果的に静止画像や動画を見せることを目的として使用されるようになってきている。
【０００３】
このような表示装置においては、静止画像や動画（以下、単に、画像という。）を、いかに効果的に表示するかが、重要となってくる。
【０００４】
そこで、従来、表示面に表示している画像に対する人の注視度を測定して、該注視度に基づいて、表示面への画像の表示を制御することが行われている（特許文献１、特許文献２、特許文献３）。
【０００５】
そして、これら従来技術においては、画像に対する人の注視度を、カメラで人の顔、向き等を撮影して、その人の視線の向きを求め、画像に対して視線の向いている時間の長さ等から注視度を求めている。
【発明の概要】
【発明が解決しようとする課題】
【０００６】
しかしながら、上記従来技術にあっては、表示画像に対する人の注視度をカメラ等の撮像結果から求めているため、人の視線を判定することのできるカメラ等の撮像機器を必要とするとともに、その撮像結果から人の視線の向きを求め、さらに、注視度を求める処理を行う必要がある。その結果、従来技術は、高価な機器と処理回路を必要とし、コストが高くつくという問題があった。
【０００７】
そこで、本発明は、表示画像に対する人の関心度を、安価かつ簡単に検出することを目的としている。
【課題を解決するための手段】
【０００８】
本発明は、上記目的を達成するために、画像を表示面に表示する画像表示手段と、前記画像表示手段に所定間隔で所定数の画像を表示させる画像表示制御手段と、前記表示面の前面側であって所定の検出領域内における人の有無を検出する人検出手段と、前記人検出手段の検出結果と前記表示面に表示されている画像の表示条件に基づいて、該画像に対する人の関心度を求める関心度検出手段と、を備えていることを特徴としている。
【発明の効果】
【０００９】
本発明によれば、表示画像に対する人の関心度を、安価かつ簡単に検出することができる。
【図面の簡単な説明】
【００１０】
【図１】本発明の一実施例を適用した画像表示装置の要部概略構成図。
【図２】関心度検出処理の説明図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１及び図２は、本発明の画像表示装置、画像表示制御方法及び画像表示制御プログラムの一実施例を示す図であり、図１は、本発明の画像表示装置、画像表示制御方法及び画像表示制御プログラムの一実施例を適用した画像表示装置１の要部構成図である。
【００１３】
図１において、画像表示装置１は、本体筐体２内に、制御基板１０、画像表示部２０及び人感センサ３０を備えており、外部メモリ４０が着脱可能に装着される。画像表示装置１は、本体筐体２から離れた位置に設けられているスクリーン等の表示面へ画像を投影するプロジェクタ装置、ＬＣＤ画面を表示面として画像を表示するＬＣＤ装置等の画像表示装置であるが、画像表示装置は、上記のものに限るものではない。なお、画像表示装置１は、図示しないが、各種操作キーの設けられている操作部が設けられており、該操作部のキー操作によって、画像表示装置１の動作が指示される。
【００１４】
画像表示部（画像表示手段）２０は、画像表示装置１がプロジェクタ装置の場合には、光学ユニット、ランプ駆動部等で構成され、制御基板１０からの制御信号と画像データに基づいて、スクリーン等の表示面に画像を投影表示する。画像表示部２０は、画像表示装置１がＬＣＤ装置である場合には、表示面としてのＬＣＤとその駆動回路で構成され、制御基板１０からの制御信号と画像データに基づいて、ＬＣＤに画像を表示出力する。
【００１５】
人感センサ（人検出手段）３０は、例えば、赤外線発光ダイオード、赤外線の射出をー定方向に制限する光学系及び発射された赤外線の反射光を検出する赤外線受光センサ等を備えている。人感センサ３０は、制御基板１０に接続されており、赤外線発光ダイオード及び赤外線受光センサから一定距離内にいる人を検出して制御基板１０に検出信号を出力する。
【００１６】
人感センサ３０は、検出距離切換スイッチが設けられていて、検出距離を複数段階で切り換えることができるようになっていてもよい。人感センサ３０は、画像表示部２０によって画像の表示される表示面の前面側の所定角度範囲であって、所定距離範囲を感度エリア（検出領域）として、該感度エリア内に人がいるか否かを検出して、検出結果を制御基板１０に出力する。
【００１７】
外部メモリ４０は、例えば、ＳＤカード、ＵＳＢ（Universal Serial Bus）メモリ等の可搬性のメモリが用いられ、ユーザによって、画像表示装置１のメモリスロットに着脱可能に装着される。外部メモリ４０は、ユーザによって、画像表示装置１で表示させる画像データが格納されており、通常、複数枚の画像の画像データが収納されている。
【００１８】
画像表示装置１は、外部メモリ４０がメモリスロットに装着されると、制御基板１０に接続される。
【００１９】
制御基板１０は、制御部１１、不揮発性メモリ１２及びタイマ１３等を搭載している。制御部１１は、ＣＰＵ（Central Processing Unit）、ＲＯＭ（Read Only Memory）、ＲＡＭ（Random Access Memory）、画像処理デバイス及びＩ／Ｏ（Input／Output）等を搭載している。ＲＯＭは、画像表示装置１としての基本プログラム及び本発明の画像表示制御方法を実行する画像表示制御プログラム等のプログラムやシステムデータ等を記憶している。制御部１１は、ＣＰＵが、ＲＯＭ内のプログラムに基づいて、ＲＡＭをワークメモリとして利用しつつ、画像表示装置１の各部を制御して画像表示装置１としての基本処理を実行するとともに、本発明の画像表示制御処理を実行する。
【００２０】
すなわち、画像表示装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像表示制御方法を実行する画像表示制御プログラムを読み込んで制御部１１内のＲＯＭ等に導入することで、後述する表示画像に対する人の関心度を、安価かつ簡単に検出する画像表示制御方法を実行する画像表示装置として構築されている。この画像表示制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２１】
制御部１１は、外部メモリ４０がメモリスロットに装着されると、外部メモリ４０内の画像データを読み出す。
【００２２】
制御部（画像表示制御手段、関心度検出手段、表示条件調整手段）１１は、外部メモリ４０から読み出した画像データに必要な画像処理を施して、画像表示部２０が処理可能なデータ形式に変換し、制御信号とともに、画像表示部２０に画像データを出力する。
【００２３】
画像表示部２０は、制御部１１からの画像データと制御信号に基づいて、画像を表示面に表示出力する。
【００２４】
制御部１１は、例えば、複数の画像を所定の表示間隔で画像表示部２０に表示出力させ、該画像毎に、該画像を識別する画像識別情報とともに、表示時間、後述する人検出時間及び関心度の各情報を求めて、不揮発性メモリ１２に記憶させる。
【００２５】
不揮発性メモリ１２は、例えば、ＥＥＰＲＯＭ等で構成され、画像表示装置１の電源がオフのときにも、記憶内容を保持する。不揮発性メモリ１２は、制御部１１の制御下で、各種データ（情報）、特に、本発明の画像表示制御方法で利用する上記表示時間等の表示条件、人検出時間及び関心度の各情報を、画像識別情報に対応させて記憶する。
【００２６】
タイマ１３は、発振器及び分周器等を備え、例えば、グリニッジ標準時を基準時とする現在時間の計時等を行う。
【００２７】
制御部１１は、タイマ１３の計時する現在時間に基づいて、外部メモリ４０から読み出した画像データのどの画像を、画像表示部２０に表示させる表示開始時間と表示終了時間からなる表示時間、該画像を表示しているときに人感センサ３０が人を検出した検出開始時間と人を検出しなくなった検出終了時間からなる人検出時間を求める。制御部１１は、表示時間と人検出時間からその画像に対して人が関心を示した度合い（関心度）を、表示時間に対する人検出時間の割合として求める。
【００２８】
また、制御部１１は、１つの画像の表示時間の間に、人検出時間（個別人検出時間）が複数回発生すると、該複数回の人検出時間を積算した積算人検出時間を求め、表示時間と積算人検出時間からその画像に対する関心度を求める。制御部１１は、この積算人検出時間を求める際に、各個別の人検出時間を予め設定されている最小閾値時間と比較し、人検出時間が該最小閾値時間よりも短いと、該個別人検出時間を積算人検出時間の算出対象から除外してもよい。
【００２９】
さらに、制御部１１は、関心度を求める際に、１日を所定の時間帯毎に分割した分割時間帯を予め設定し、画像毎に、該分割時間帯毎の関心度を求めてもよい。
【００３０】
制御部１１は、求めた表示時間、人検出時間、積算人検出時間、関心度を、画像識別情報に対応させて不揮発性メモリ１２に記憶させる。
【００３１】
制御部１１は、画像に対して求めた関心度に基づいて該画像の表示方法を制御する。例えば、制御部１１は、関心度の高い画像については、関心度に応じて表示時間を長くする表示方法等の表示条件を調整する表示方法等を採用する。また、制御部１１は、画像の表示時間を長くする表示方法の制御において、画像の表示時間を長くする処理を行った後は、単位時間当たりの人検出時間を正規化し、表示時間が長くなった画像のみが、加速度的に表示時間が長くなる調整を行ってしまうことを抑制する表示時間抑制処理を行ってもよい。
【００３２】
次に、本実施例の作用について説明する。本実施例の画像表示装置１は、表示画像に対する人の関心度を、安価かつ簡単に検出する。
【００３３】
画像表示装置１は、ユーザによって画像データの格納された外部メモリ４０が装着されて、操作部で、画像表示の指示操作が行われると、制御部１１が、外部メモリ４０から画像データを読み出す。この場合、通常、外部メモリ４０には、複数の画像の画像データが格納されており、制御部１１は、適宜の順番、例えば、操作部で指定された順番、ランダムな順番等で外部メモリ４０から画像データを読み出す。
【００３４】
制御部１１は、外部メモリ４０から読み出した画像データに対して、画像表示部２０で表示させるのに必要な画像処理を施して、画像表示部２０に渡し、画像表示部２０が表示面に画像を表示する。
【００３５】
制御部１１は、初めて表示する画像に対しては、予め初期表示時間が設定されており、この初期表示時間だけ画像表示部２０に表示させると、次の画像を画像表示部２０に切り替えて表示させる。この初期表示時間は、画像表示装置１に初期設定により設定されているが、ユーザが適宜設定することもできる。
【００３６】
制御部１１は、画像を表示部２０に表示させる表示時間の管理を、タイマ１３の計時する計時時間を取得することで行う。
【００３７】
そして、画像表示装置１は、画像表示部２０によって画像を表示する表示面の前面側の所定角度範囲で、かつ、所定距離範囲を、図２（ａ）に示すように、感度エリア（検出領域）Ａｒとして、該感度エリアＡｒ内に人Ｐ１、Ｐ２がいるかいないかを人感センサ３０の検出結果によって判断する。
【００３８】
例えば、制御部１１は、人感センサ３０の検出結果から、図２（ａ）において、人Ｐ１に対しては、感度エリアＡｒ内にいると判断し、人Ｐ２に対しては、感度エリアＡｒ内にいないと判断する。
【００３９】
いま、図２（ｂ）に示すように、４つの画像ａ、画像ｂ、画像ｃ、画像ｄを画像表示部２０に順番に表示させるものとし、それぞれの画像ａ〜ｄの表示時間が、表示時間Ｔａ、Ｔｂ、Ｔｃ、Ｔｄであったとする。
【００４０】
制御部１１は、画像ａ〜ｄを順次表示させている間、人感センサ３０の出力（図２（ｂ）では、センサ出力と表示。）を監視し、人感センサ３０の出力が一旦上がって落ちたところを、人が感度エリアＡｒ内に入ったと判断する。制御部１１は、人が感度エリアＡｒに入ったと判断した時点から、表示中の画像に対してその人が関心を持って見ている人検出時間として時間を計時する。そして、制御部１１は、その後、人感センサ３０の出力が低下した時点を、感度エリアＡｒ内にいた人が感度エリアＡｒから出たときであると判断する。例えば、図２（ａ）において、感度エリアＡｒ内にいた人Ｐ１が、人Ｐ２で示すように、感度エリアＡｒ外に出ると、人感センサ３０の出力が一旦低下する。
【００４１】
いま、図２（ｂ）では、ｔａ、ｔｂ、ｔｃが、各画像ａ、画像ｂ、画像ｃを表示している時点で感度エリアＡｒ内に人が入り、継続して感度エリアＡｒにとどまっている時間、すなわち、人検出時間である。
【００４２】
制御部１１は、図２（ｂ）の場合、画像ａ表示期間Ｔａにおいては、人検出時間ｔａを人感センサ３０の出力に基づいてタイマ１３を参照することで取得し、その他に、人感センサ３０が出力変化することがなかった。したがって、制御部１１は、画像ａ表示期間Ｔａにおいては、人検出時間ｔａを画像ａ用積算時間ｓｔａとして求める。
【００４３】
同様に、制御部１１は、画像ｂ表示期間Ｔｂにおいては、人検出時間ｔｂを人感センサ３０の出力に基づいてタイマ１３を参照することで取得し、その他に、人感センサ３０が出力変化することがなかった。したがって、制御部１１は、画像ｂ表示期間Ｔｂにおいては、人検出時間ｔｂを画像ｂ用積算時間ｓｔｂとして求める。
【００４４】
また、制御部１１は、画像ｃ表示期間Ｔｃにおいては、人検出時間ｔｃを人感センサ３０の出力に基づいてタイマ１３を参照することで取得し、その他に、人感センサ３０が出力変化することがなかった。ところが、人検出時間ｔｃは、画像ｄ表示時間Ｔｄにまで継続して入り込んだ時間となっている。したがって、制御部１１は、画像ｃ表示期間Ｔｃにおいては、人検出時間ｔｃのうち、画像ｃ表示期間Ｔｃの終了時間までを画像ｃ用積算時間ｓｔｃとして求める。
【００４５】
そして、制御部１１は、人検出時間ｔｃのうち、画像ｄ表示時間Ｔｄに含まれる時間を、画像ｄ用積算時間ｓｔｄとして求める。
【００４６】
制御部１１は、画像ａ〜画像ｄ毎の積算時間ｓｔａ〜ｓｔｄを求めると、該積算時間ｓｔａ〜ｓｔｄと各積算時間ｓｔａ〜ｓｔｄに対応する画像表示時間Ｔａ〜Ｔｄを比較して、各画像ａ〜ｄに対する人の関心度を求める。
【００４７】
すなわち、制御部１１は、各画像ａ〜ｄ毎に、その表示時間Ｔａ〜Ｔｄに対する積算時間ｓｔａ〜ｓｔｄを、その画像ａ〜ｄに対する人の関心度として定量化して求める。
【００４８】
具体的には、制御部１１は、例えば、各画像ａ〜ｄ毎に、その積算時間ｓｔａ〜ｓｔｄを、その表示時間Ｔａ〜Ｔｄで除算し、除算結果を、その画像ａ〜ｄに対する人の関心度として定量化して求める。
【００４９】
なお、制御部１１は、上記積算時間ｓｔａ〜ｓｔｄの算出においては、適宜の最小閾値時間を設定して、個別の人検出時間ｔａ、ｔｂ、ｔｃを該最小閾値時間と比較して、該最小閾値時間よりも短い該人検出時間ｔａ、ｔｂ、ｔｃについては、前記積算時間ｓｔａ〜ｓｔｄから排除する。すなわち、制御部１１は、最小閾値時間よりも短い人検出時間ｔａ、ｔｂ、ｔｃを、積算時間ｓｔａ〜ｓｔｄの積算対象から除外する。
【００５０】
このようにすると、表示面の前を単に速やかに通過した人等を関心度に入れてしまうことを防止することができ、より一層正確に、関心度を求めることができる。
【００５１】
また、制御部１１は、１日を所定の時間帯毎に分割した分割時間帯を設定し、画像ａ〜ｄ毎に、該分割時間帯毎の関心度を求めてもよい。
【００５２】
このようにすると、１日における時間帯毎の画像表示装置１の表示面の前を通過する人の相違等に応じて、適切な関心度を求めることができる。
【００５３】
そして、制御部１１は、上述のようにして画像ａ〜ｄ毎に関心度を求めると、該関心度に基づいて、画像ａ〜ｄの表示条件、例えば、表示時間Ｔａ〜Ｔｄの調整を行う。
【００５４】
さらに、制御部１１は、関心度に基づいて表示時間Ｔａ〜Ｔｄの調整を行う場合、該関心度を、所定の高関心度閾値と比較して、該関心度が該高関心度閾値よりも高い画像については、表示時間Ｔａ〜Ｔｄを長く調整してもよい。
【００５５】
このようにすると、関心度の高い画像ａ〜ｄを長い時間表示することができ、人の関心度をより一層高めて、宣伝効果等を向上させることができる。
【００５６】
また、制御部１１は、関心度の高い画像ａ〜ｄの表示時間Ｔａ〜Ｔｄを長くすると、その画像ａ〜ｄの人検出時間ｔａ〜ｔｄを正規化し、正規化した人検出時間ｔａ〜ｔｄに基づいて、関心度を求めてもよい。
【００５７】
このようにすると、表示時間Ｔａ〜Ｔｄを長くした画像ａ〜ｄに対する表示時間Ｔａ〜Ｔｄが加速度的に長くなることを防止することができ、表示時間Ｔａ〜Ｔｄを適正化することができる。
【００５８】
なお、上記説明では、表示条件として主に表示時間Ｔａ〜Ｔｄを取り上げて、関心度に基づいて表示時間Ｔａ〜Ｔｄを調整している。この表示条件としては、表示時間Ｔａ〜Ｔｄに限るものではなく、例えば、画像表示の明度、彩度等の色調整及び音声出力を伴う場合には音声の大きさ等も含まれる。
【００５９】
このように、本実施例の画像表示装置１は、画像を表示面に表示する画像表示部（画像表示手段）２０と、画像表示部２０に所定間隔で所定数の画像を表示させる制御部（画像表示制御手段）１１と、表示面の前面側であって所定の感度エリア（検出領域）Ａｒ内における人の有無を検出する人感センサ（人検出手段）３０と、人感センサ３０の検出結果と表示面に表示されている画像の表示条件に基づいて、該画像に対する人の関心度を求める制御部（関心度検出手段）１１と、を備えている。
【００６０】
したがって、従来のように、カメラ等の高価な装置を用いることなく、人感センサ３０等の安価な部品を用いて、表示画像に対する人の関心度を、安価かつ簡単に検出することができる。
【００６１】
また、本実施例の画像表示装置１は、画像を表示面に表示する画像表示部２０に、所定間隔で所定数の画像を表示させる画像表示制御処理ステップと、表示面の前面側であって所定の感度エリア（検出領域）Ａｒ内における人の有無を検出する人検出処理ステップと、該人検出処理ステップでの検出結果と表示面に表示されている画像の表示条件に基づいて、該画像に対する人の関心度を求める関心度検出処理ステップと、を有する画像表示制御方法を実行している。
【００６２】
したがって、従来のように、カメラ等の高価な装置を用いることなく、表示画像に対する人の関心度を、安価かつ簡単に検出することができる。
【００６３】
さらに、本実施例の画像表示装置１は、ＣＰＵ等の制御プロセッサに、画像を表示面に表示する画像表示部２０に、所定間隔で所定数の画像を表示させる画像表示制御処理と、表示面の前面側であって所定の感度エリア（検出領域）Ａｒ内における人の有無を検出する人検出処理と、該人検出処理での検出結果と表示面に表示されている画像の表示条件に基づいて、該画像に対する人の関心度を求める関心度検出処理と、を実行させる画像表示制御プログラムを搭載している。
【００６４】
したがって、従来のように、カメラ等の高価な装置を用いることなく、表示画像に対する人の関心度を、安価かつ簡単に検出することができる。
【００６５】
また、本実施例の画像表示装置１は、前記関心度検出手段としての制御部１１が、前記表示条件としての前記表示面に表示されている画像の表示時間と、該表示時間において人感センサ３０が人を検出している人検出時間とを比較して、該画像に対する前記関心度を求めている。
【００６６】
したがって、従来のように、カメラ等の高価な装置を用いることなく、人感センサ３０等の安価な部品を用いて、表示画像に対する人の関心度を、時間によって定量化することができ、安価かつ正確に検出することができる。
【００６７】
さらに、本実施例の画像表示装置１は、前記関心度検出手段としての制御部１１が、前記画像毎に、人感センサ３０が感度エリアＡｒ内の人を検出する毎の個別人検出時間を順次積算して前記人検出時間として求め、積算した該人検出時間と該画像の前記表示時間を比較して、該画像に対する前記関心度を求めている。
【００６８】
したがって、複数の人が感度エリアＡｒを通過する場合における人検出時間を正確に求めることができ、表示画像に対する人の関心度を、安価かつより一層正確に検出することができる。
【００６９】
また、本実施例の画像表示装置１は、前記関心度検出手段としての制御部１１が、前記個別人検出時間を所定の最小閾値時間と比較して、該最小閾値時間よりも短い該個別人検出時間については、積算対象から除外している。
【００７０】
したがって、表示面に表示されている画像に対して無関心に速やかに通過したり、感度エリアＡｒの隅を通過する人を、人検出時間から省くことができ、表示画像に対する人の関心度を、安価かつより一層正確に検出することができる。
【００７１】
さらに、本実施例の画像表示装置１は、前記関心度検出手段としての制御部１１が、１日を所定の時間帯毎に分割した分割時間帯を設定し、前記画像毎に、該分割時間帯毎の前記関心度を求める。
【００７２】
したがって、１日における時間帯毎の画像表示装置１の表示面の前を通過する人の相違等に応じて、適切な関心度を求めることができる。
【００７３】
また、本実施例の画像表示装置１は、前記画像毎に、前記関心度に基づいて該画像の前記表示条件を調整する制御部（表示条件調整手段）１１をさらに備え、前記画像表示制御手段としての制御部１１が、調整した表示条件に基づいて画像表示部２０に画像を表示させる。
【００７４】
したがって、表示面に表示されている画像に対する関心度に応じて、その画像の表示時間や明るさ等の表示条件を調整することができ、該画像に対する人の関心度をより一層向上させることができる。
【００７５】
さらに、本実施例の画像表示装置１は、前記表示条件調整手段としての制御部１１が、前記画像毎に、前記関心度を、所定の高関心度閾値と比較して、該関心度が該高関心度閾値よりも高い画像については、前記表示条件としての前記表示時間を長く調整する。
【００７６】
したがって、ある程度関心度が高い画像の表示時間を長く調整することができ、該画像に対する人の関心度をより一層向上させることができる。
【００７７】
また、本実施例の画像表示装置１は、前記関心度検出手段としての制御部１１が、前記表示条件としての前記表示時間を長く調整した画像の前記人検出時間については、所定単位時間当たりの該人検出時間を正規化した後に前記関心度を求めている。
【００７８】
したがって、表示時間を長くした画像の表示時間が加速度的に長くなることを防止することができ、画像の表示時間を適正化することができる。
【００７９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８０】
１  画像表示装置
２  本体筐体
１０  制御基板
１１  制御部
１２  不揮発性メモリ
１３  タイマ
２０  画像表示部
３０  人感センサ
４０  外部メモリ
Ａｒ  感度エリア
Ｐ１、Ｐ２  人
【先行技術文献】
【特許文献】
【００８１】
【特許文献１】特開２０１２−０４７９４５号公報
【特許文献２】特開２０１１−２０３９７５号公報
【特許文献３】特開２０１２−０２２５８９号公報
【図１】
2015045733.tif 000003
【図２】
2015045733.tif 000004